(57)【要約】【課題】  蓄光面の残光輝度が大きく、視認性が良好な手すりを提供する。【解決手段】手すり１は、湾曲部を有する一対のエンドブラケット５と、これらの一対のエンドブラケット５にわたって配設される手すり本体６と、からなり、エンドブラケット５が、湾曲部の外面側に開口部５１ａを形成した中空のブラケット本体５１および該ブラケット本体５１の開口部５１ａに着脱自在に装着されたカバー５２から形成されている。そして、カバー５２が透明または半透明樹脂から形成される一方、ブラケット本体５１の内部に蓄光材９を搭載した反射板８が収容されている。【選択図】  図５
2006089955.tif 000002
【特許請求の範囲】
【請求項１】
湾曲部を有する一対のエンドブラケットと、これらの一対のエンドブラケットにわたって配設される手すり本体と、から構成され、エンドブラケットが、湾曲部の外面側に開口部を形成した中空のブラケット本体および該ブラケット本体の開口部に着脱自在に装着されたカバーからなる手すりにおいて、カバーが、透明または半透明樹脂の内面側に順に蓄光顔料層および白色反射層が積層された積層体であることを特徴とする手すり。
【請求項２】
湾曲部を有する一対のエンドブラケットと、これらの一対のエンドブラケットにわたって配設される手すり本体と、から構成され、エンドブラケットが、湾曲部の外面側に開口部を形成した中空のブラケット本体および該ブラケット本体の開口部に着脱自在に装着されたカバーからなる手すりにおいて、カバーが透明または半透明樹脂から形成される一方、ブラケット本体の内部に蓄光材を設けた反射板が収容されていることを特徴とする手すり。
【請求項３】
湾曲部を有する一対のエンドブラケットと、これらの一対のエンドブラケットにわたって配設される手すり本体と、から構成され、エンドブラケットが、湾曲部の外面側に開口部を形成した中空のブラケット本体および該ブラケット本体の開口部に着脱自在に装着されたカバーからなる手すりにおいて、カバーが透明または半透明樹脂から形成される一方、ブラケット本体の内面が白色に塗装されて反射面に形成されるとともに、その内部に蓄光材が収容されていることを特徴とする手すり。
【発明の詳細な説明】
【技術分野】
【０００１】
この発明は、高齢者などの歩行者が身体を支えるために使用される手すりに関するものである。
【背景技術】
【０００２】
一般に、階段や廊下などには手摺りが設けられており、高齢者などの歩行者を介助するようにしている。このような手すりは、一対のエンドブラケットと、これらの一対のエンドブラケットにわたって配設される手すり本体とから構成されている。ここで、エンドブラケットは、壁面に固定することができるように、開口部が形成された中空のブラケット本体および該ブラケット本体の開口部に着脱自在に装着されるカバーからなり、ブラケット本体をビスを介して壁面に固定した後、カバーをブラケット本体の開口部に装着するようにしている。また、支持金具を壁面に固定した後、支持金具に手すり本体を固定して手すりを構成することも提案されている。
【０００３】
このような手すりにおいて、エンドブラケットの外側に蓄光顔料によって着色された蓄光面を設けることが提案されている（例えば、特許文献１参照）。
【特許文献１】特開２０００−３３６８７８号公報
【発明の開示】
【発明が解決しようとする課題】
【０００４】
ところで、前述した蓄光顔料を樹脂材料に混練してエンドブラケットを成形する場合において、エンドブラケットを手すり本体の色彩に合わせて濃色に形成すると、蓄光顔料からの発光は、成形品そのものに吸収され、残光輝度が大幅に減殺される。一方、エンドブラケットを透過色に形成すると、蓄光顔料からの発光は、エンドブラケット内部にも散乱し、同様に、残光輝度が減殺される。いずれにしても、残光が小さく、視認性が低いという問題があった。また、蓄光顔料は無機材であり、樹脂材料に混練して成形した場合、表面に凹凸が生じ、汚れ易いという欠点もある。
【０００５】
本発明は、このような問題点に鑑みてなされたもので、残光輝度が大きく、視認性が良好な手すりを提供するものである。
【課題を解決するための手段】
【０００６】
本発明は、湾曲部を有する一対のエンドブラケットと、これらの一対のエンドブラケットにわたって配設される手すり本体と、から構成され、エンドブラケットが、湾曲部の外面側に開口部を形成した中空のブラケット本体および該ブラケット本体の開口部に着脱自在に装着されたカバーからなる手すりにおいて、カバーが、透明または半透明樹脂の内面側に順に蓄光顔料層および白色反射層が積層された積層体であることを特徴とするものである。
【０００７】
本発明によれば、カバーの蓄光顔料層に透明または半透明な樹脂を通して昼光（太陽光）あるいは蛍光灯などの人工光のエネルギーが吸収蓄積される一方、蓄光顔料層に蓄積された光エネルギーは、暗闇において、放光という形で放出される。この際、蓄光顔料層の発光は、白色反射層に反射するとともに、透明または半透明な樹脂を通過することから、発光エネルギーが内部で散乱して吸収されることがなく、初期輝度および残光輝度とも十分に大きく、また、残光時間も確保することができる。しかも、エンドブラケットの湾曲部の外面側に蓄光面を設けたことにより、壁面に沿って歩行する歩行者および壁面に向かって歩行する歩行者は、蓄光面と相対することになることから、容易に目視でき、良好な
視認性を確保することができる。
【０００８】
本発明は、湾曲部を有する一対のエンドブラケットと、これらの一対のエンドブラケットにわたって配設される手すり本体と、から構成され、エンドブラケットが、湾曲部の外面側に開口部を形成した中空のブラケット本体および該ブラケット本体の開口部に着脱自在に装着されたカバーからなる手すりにおいて、カバーが透明または半透明樹脂から形成される一方、ブラケット本体の内部に蓄光材を設けた反射板が収容されていることを特徴とするものである。
【０００９】
本発明によれば、蓄光材に透明または半透明なカバーを通して昼光（太陽光）あるいは蛍光灯などの人工光のエネルギーが吸収蓄積される一方、蓄光材に蓄積された光エネルギーは、暗闇において、放光される。この際、蓄光材の発光は、白色に塗装された反射板に反射するとともに、透明または半透明なカバーを通過することから、発光エネルギーが内部で散乱して吸収されることがなく、初期輝度および残光輝度とも十分に大きく、また、残光時間も確保することができる。しかも、エンドブラケットの湾曲部の外面側に蓄光面を設けたことにより、壁面に沿って歩行する歩行者および壁面に向かって歩行する歩行者は、蓄光面と相対することになることから、容易に目視でき、良好な視認性を確保することができる。
【００１０】
本発明は、湾曲部を有する一対のエンドブラケットと、これらの一対のエンドブラケットにわたって配設される手すり本体と、から構成され、エンドブラケットが、湾曲部の外面側に開口部を形成した中空のブラケット本体および該ブラケット本体の開口部に着脱自在に装着されたカバーからなる手すりにおいて、カバーが透明または半透明樹脂から形成される一方、ブラケット本体の内面が白色に塗装されて反射面に形成されるとともに、その内部に蓄光材が収容されていることを特徴とするものである。
【００１１】
本発明によれば、蓄光材に透明または半透明なカバーを通して昼光（太陽光）あるいは蛍光灯などの人工光のエネルギーが吸収蓄積される一方、蓄光材に蓄積された光エネルギーは、暗闇において、放光される。この際、蓄光材の発光は、白色に塗装されたブラケット本体の内面に反射するとともに、透明または半透明なカバーを通過することから、発光エネルギーが内部で散乱して吸収されることがなく、初期輝度および残光輝度とも十分に大きく、また、残光時間も確保することができる。しかも、エンドブラケットの湾曲部の外面側に蓄光面を設けたことにより、壁面に沿って歩行する歩行者および壁面に向かって歩行する歩行者は、蓄光面と相対することになることから、容易に目視でき、良好な視認性を確保することができる。
【発明の効果】
【００１２】
本発明によれば、残光輝度が大きく、視認性が良好となる。
【発明を実施するための最良の形態】
【００１３】
以下、本発明の実施の形態を図面に基づいて説明する。
【００１４】
図１には、本発明の手すり１の一実施形態が示されている。
【００１５】
この手すり１は、壁面に固定可能な一対のエンドブラケット２と、一対のエンドブラケット２，２間に配設された手すり本体３と、から構成されている。
【００１６】
エンドブラケット２は、図２および図３に示すように、湾曲部を有して略Ｌ字状に形成された金属製の円管体であって、湾曲部の外面側に開口部２１ａが形成されるとともに、基端部および先端部近傍にそれぞれ蓋体２１１が設けられた中空のブラケット本体２１と
、ブラケット本体２１の開口部２１ａに着脱自在に装着され、湾曲部の外面に対応する曲面形状に形成されたカバー２２とからなり、ブラケット本体２１の蓋体２１１には、それぞれ複数個のビス穴２１１ａが形成されるとともに、その先端部には、手すり本体３の外径に対応する内径の筒状の嵌挿部２１２が形成されている。
【００１７】
ここで、エンドブラケット２のブラケット本体２１は、木製の手すり本体３に対応して、ブロンズまたはゴールドに塗装された金属製部品によって形成されている。
【００１８】
また、カバー２２は、図４に模式的に示すように、透明樹脂２２１と、該透明樹脂２２１の内面側に積層された蓄光顔料層２２２と、該蓄光顔料層２２２の内面側に積層された白色反射層２２３と、からなる積層体であって、詳細には図示しないが、ブラケット本体２１の開口部２１ａの周縁に設けた係止爪と係合可能な係止爪を設けており、ブラケット本体２１の係止爪にカバー２２の係止爪を係合させることにより、開口部２１ａを覆ってブラケット本体２１にカバー２２を装着することができる。また、カバー２２の係止爪をブラケット本体２１の係止爪から離脱させることにより、カバー２２を取り外してブラケット本体２１の開口部２１ａを開口させることができる。
【００１９】
ここで、蓄光顔料としては、残光輝度、残光時間などに優れたストロンチウムアルミネートやカルシウムアルミネートなどを好適に用いることができる。
【００２０】
次に、このように構成された手すり１の取付要領について説明する。
【００２１】
まず、一方のブラケット本体２を壁面Ｋに位置決めして押し当て、開口部２１ａから挿入したビスを蓋体２１１のビス穴２１１ａを通して壁面Ｋに打ち込み、一方のブラケット本体２１をビス止めする。次いで、先に固定した一方のブラケット本体２１の嵌挿部２１２に手すり本体３の一端部を嵌合させる。次いで、手すり本体３の他端部に他方のブラケット本体２１の嵌挿部２１２を嵌合させるとともに、その基端部を壁面に押し当て、同様に、開口部２１ａから蓋体２１１のビス穴２１１ａを通してビスを壁面ｋに打ち込み、他方のブラケット本体２１をビス止めする。この後、各ブラケット本体２１の開口部２１ａからその先端部近傍の蓋体２１１のビス穴２１１ａを通してビスを手すり本体３に打ち込み、手すり本体３の両端をそれぞれ各ブラケット本体２１に対して固定する。
【００２２】
手すり本体３が固定されたならば、各ブラケット本体２１の開口部２１ａにそれぞれカバー２２を嵌め込んで装着すればよい。
【００２３】
このような手すり１において、カバー２２の蓄光顔料層２２２には、その内部に透明樹脂２２１を通して昼光（太陽光）あるいは蛍光灯などの人工光のエネルギーが吸収蓄積される。一方、蓄光顔料層２２２に蓄積された光エネルギーは、暗闇において、放光という形で放出される。この際、蓄光顔料層２２２の発光は、白色反射層２２３に反射するとともに、透明樹脂２２１を通過することから、発光エネルギーが内部で散乱して吸収されることがなく、初期輝度および残光輝度とも十分に大きく、また、残光時間も確保することができる。一方、エンドブラケット２の湾曲部の外面側に蓄光面を設けたことにより、蓄光面は、壁面に沿って歩行する歩行者および壁面に向かって歩行する歩行者と相対することになることから、容易に目視でき、良好な視認性を確保することができる。
【００２４】
なお、カバー２２において、透明樹脂２２１に代えて半透明樹脂であってもよいが、蓄光顔料層２２２の発光は、カバー２２を通過する際、一部吸収される。そのため、残光輝度は、透明の場合に比較して若干小さくなる。
【００２５】
図５には、本発明の手すり１の他の実施形態が記載されている。
【００２６】
この実施形態の手すり１は、ベース材４と、ベース材４に一端が固定された一対のエンドブラケット５と、一対のエンドブラケット５，５間に配設された手すり本体６と、ベース材４に一端が固定されて手すり本体６を支持する一対の支持ブラケット７と、から構成され、ベース材４が壁面に固定されるようになっている。
【００２７】
エンドブラケット５は、金属製の中空円環体であって、その外面側に開口部５１ａが形成されるとともに、基端部および先端部にそれぞれ蓋体５１１が設けられた中空のブラケット本体５１と、ブラケット本体５１の開口部５１ａに着脱自在に装着され、湾曲部の外面側に対応する曲面形状に形成された透明樹脂製のカバー５２と、ブラケット本体５１の先端部に回動自在に連結された中空のエルボー状棒受け部５３と、からなり、ブラケット本体５１の蓋体５１１には、それぞれ複数個のビス穴５１１ａが形成され、また、棒受け部５３は、手すり本体６が嵌挿可能な内径を有する筒状に形成されている。
【００２８】
そして、ブラケット本体５１の内部には、該ブラケット本体５１をベース材４に固定するビスを利用して固定可能であって、白色塗装された反射板８が配設されるようになっており、該反射板８には、蓄光顔料が練り込まれた樹脂材料からなる棒状や板状の蓄光材９が固定されている。
【００２９】
なお、この場合も、エンドブラケット５のブラケット本体５１および棒受け部５３は、木製の手すり本体６に対応してブロンズまたはゴールドに塗装された金属製部品によって形成されている。
【００３０】
また、カバー５２は、図８および図９に示すように、ブラケット本体５１の先端側周縁に設けた係止爪５１ｂ（図７参照）と係合可能な係止爪５２ａを先端部に設けている他、ブラケット本体５１の蓋体５１１に形成されたガイド穴５１１ｂ（図７参照）と嵌合可能なガイド５２ｂを基端部に設けている。このため、ブラケット本体５１のガイド穴５１１ｂにガイド５２ｂを嵌合させた状態で、その係止爪５１ｂにカバー５２の係止爪５２ａを係合させることにより、開口部５１ａを覆ってブラケット本体５１にカバー５２を装着することができる。また、カバー５２の係止爪５２ａをブラケット本体５１の係止爪５１ｂから離脱させることにより、カバー５２を取り外してブラケット本体５１の開口部５１ａを開口させることができる。
【００３１】
次に、このように構成された手すり１の取付要領について説明する。
【００３２】
まず、一対の支持ブラケット７を手すり本体６にそれぞれビス止めした後、各支持ブラケット７をベース材４にビス止めする。次いで、手すり本体６の一端部に一方のエンドブラケット５の棒受け部５３を嵌合させるとともに、ブラケット本体５１を棒受け部５３に対して回転させ、ベース材４に位置決めする。さらに、ブラケット本体５１の蓋体５１１のビス穴５１１ａを通してビスをベース材４に打ち込んで固定した後、エンドブラケット５のブラケット本体５１の内部に開口部５１ａを通して蓄光材９を設けた反射板８を収容し、反射板８のビス穴およびブラケット本体５１の蓋体５１１の残りのビス穴５１１ａを通してビスをベース材４に打ち込み、合わせて蓄光材９を設けた反射板８をビス止めする。
【００３３】
同様に、手すり本体６の他端部に他方のエンドブラケット５の棒受け部５３を嵌合させた後、ブラケット本体５１を位置決めするとともに、ブラケット本体５１を蓄光材９を設けた反射板８とともにビスを介してベース材４に打ち込み、他方のエンドブラケット５を、蓄光材９を設けた反射板８とともにビス止めする。この後、各ブラケット本体５１の先端部側蓋体５１１のビス穴５１１ａを通してビスを手すり本体６に打ち込み、手すり本体
６の両端をそれぞれ各ブラケット本体５１に固定する。
【００３４】
手すり本体６が固定されたならば、各ブラケット本体５１の開口部５１ａにそれぞれカバー５２を嵌め込んで装着する。その後、手すり１を階段や廊下などの必要な位置に固定する。
【００３５】
このような手すり１においても、蓄光材９には、透明なカバー５２を通して昼光（太陽光）あるいは蛍光灯などの人工光のエネルギーが吸収蓄積される。一方、蓄光材９に蓄積された光エネルギーは、暗闇において、放光される。この際、蓄光材９の発光は、白色に塗装された反射板８に反射するとともに、透明なカバー５２を通過することから、発光エネルギーが内部で散乱して吸収されることがなく、初期輝度および残光輝度とも十分に大きく、また、残光時間も確保することができる。一方、エンドブラケット５の湾曲部の外面側に蓄光面を設けたことにより、蓄光面は、壁面に沿って歩行する歩行者および壁面に向かって歩行する歩行者と相対することになることから、容易に目視でき、良好な視認性を確保することができる。
【００３６】
なお、カバー５２は、半透明樹脂であってもよいが、蓄光材９の発光は、カバー５２を通過する際、一部吸収されるため、残光輝度は、透明の場合に比較して若干小さくなる。
【００３７】
ところで、図５に示した実施形態においては、エンドブラケット５のブラケット本体５１の内部に、蓄光材９を設けた反射板８を収容して固定する場合を説明したが、ブラケット本体５１の内面を白色に塗装して反射面に形成し、蓄光材９をブラケット本体５１の内部に収容して固定するようにしてもよい。この場合は、蓄光材９に合わせてブラケット本体５１に台座を形成し、台座に蓄光材９を接着し、あるいはビス止めして固定すればよい。
【００３８】
また、前述した実施形態においては、エンドブラケット５を壁面Ｋやベース材４に固定する場合を説明したが、手すり本体３，６の支持ブラケット７を設ける場合は、エンドブラケット２，５を壁面Ｋやベース材４に必ずしも固定する必要はない。
【産業上の利用可能性】
【００３９】
以上のように本発明によれば、蓄光面の残光輝度が大きく、視認性が良好となることから、夜間において、高齢者などが容易に手すりを確認することができ、歩行時の安全を確保することができる。
【図面の簡単な説明】
【００４０】
【図１】本発明の手すりの一実施形態を示す平面図である。
【図２】図１の手すりを構成するエンドブラケットの正面図である。
【図３】図２のＡ−Ａ線断面図である。
【図４】図３のＸ部を模式的に示す拡大断面図である。
【図５】本発明の手すりの他の実施形態を一部省略して示す斜視図である。
【図６】図５の手すりを構成するエンドブラケットの側面図である。
【図７】図６のエンドブラケットのカバーを取り外した状態の縦断面図である。
【図８】図６エンドブラケットの背面図である。
【図９】図７のＢ−Ｂ線断面図である。
【符号の説明】
【００４１】
１  手すり
２，５  エンドブラケット
２１，５１  ブラケット本体
２１ａ，５１ａ  開口部
２２  カバー
２２１  透明または半透明樹脂
２２２  蓄光顔料層
２２３  白色反射層
５２  透明または半透明樹脂製カバー
３，６  手すり本体
７  支持ブラケット
８  反射板
９  蓄光材
【図１】
2006089955.tif 000003
【図２】
2006089955.tif 000004
【図３】
2006089955.tif 000005
【図４】
2006089955.tif 000006
【図５】
2006089955.tif 000007
【図６】
2006089955.tif 000008
【図７】
2006089955.tif 000009
【図８】
2006089955.tif 000010
【図９】
2006089955.tif 000011